(57)【要約】      （修正有）【課題】弾丸の命中によって標的が破壊されることなく、確実に落下するように構成された、ソフトエアガン用のバイアスロン式ターゲット装置を提供する。【解決手段】弾丸Ｂの命中で落下する標的片１１を備えたソフトエアガン用バイアスロン式ターゲット装置について、盤状の標的片１１及び上記標的片１１を後側から嵌め込む開口部１７を有する正面板と、弾丸Ｂの命中により標的片１１が正面板から外れ、落下可能な状態に標的片１１を掛け止めておくために開口部１７に用意された掛け止め部１７ａと、標的片１１を掛け止め部１７ａに掛け止めるために開口部１７の後方から標的片１１を前方へ押す押圧部２１と、上記掛け止め部１７ａから標的片１１が落下したときにそれを受け止め、かつ、開口部１７の後側の定位置まで上昇可能に設けられた標的片受け部２５と、上記標的片受け部２５を開口部１７の後側の定位置まで上昇させる標的片上昇機構とを備えて構成する。【選択図】図４
2010038473.tif 000002
【特許請求の範囲】
【請求項１】
弾丸の命中で落下する標的片を備えたソフトエアガン用バイアスロン式ターゲット装置であって、盤状の標的片及び上記標的片を後側から嵌め込む開口部を有する正面板と、
弾丸の命中により標的片が正面板から外れ、落下可能な状態に標的片を掛け止めておくために開口部に用意された掛け止め部と、
標的片を掛け止め部に掛け止めるために開口部の後方から標的片を前方へ押す押圧部と、
上記掛け止め部から標的片が落下したときにそれを受け止め、かつ、開口部の後側の定位置まで上昇可能に設けられた標的片受け部と、
上記標的片受け部を開口部の後側の定位置まで上昇させる標的片上昇機構と、
を備えて構成された
ソフトエアガン用バイアスロン式ターゲット装置。
【請求項２】
標的片は、開口部よりも僅かに小形の凸部を有しており、その凸部は、開口部に嵌まり込み、口縁の下部を掛け止め部として標的片が固定されるように構成されている請求項１記載のソフトエアガン用バイアスロン式ターゲット装置。
【請求項３】
押圧部は、凸部が開口部に嵌まり込んでいる標的片を前方へ押す斜面と、弾性部材とを有し、かつ独立した部材として上下動可能に設けられている請求項２記載のソフトエアガン用バイアスロン式ターゲット装置。
【請求項４】
押圧部は、標的片の背後に位置する板面の所定位置に突設された部分から成り、かつ標的片を掛け止め部方向へ押すためにばね付勢された押圧部材を併せ有している請求項２記載のソフトエアガン用バイアスロン式ターゲット装置。
【請求項５】
正面板の後側には、標的片の厚みよりもやや大きい間隔を設けて中間板を設置し、正面板と中間板との間の狭い空所にて標的片が上下方向へ移動可能に配置されている請求項１記載のソフトエアガン用バイアスロン式ターゲット装置。
【請求項６】
標的片受け部は中間板の後側に配置されたリセット板に設けられており、中間板に形成されている上下方向のガイド溝を通して正面板と中間板の間の空所に出ており、ガイド溝の範囲で上下方向へ移動可能に設けられている請求項４記載のソフトエアガン用バイアスロン式ターゲット装置。
【請求項７】
正面板の前面に、標的片の部分に窓部を開口した保護カバーを正面板から浮かせて配置した構成を有する請求項１記載のソフトエアガン用バイアスロン式ターゲット装置。
【請求項８】
弾丸回収のために、額縁状の正面開口を有する回収ボックスを併用する場合において、正面板が装置設置面から５０〜６０度の角度で後方へ傾斜して支えられる支え手段を有している請求項１記載のソフトエアガン用バイアスロン式ターゲット装置。
【発明の詳細な説明】
【技術分野】
【０００１】
本発明は、ＢＢ弾等の弾丸が命中することで標的片が落下するように構成された、ソフトエアガン用のバイアスロン式ターゲット装置に関するものである。
【背景技術】
【０００２】
主として直径６ミリのＢＢ弾などと呼ばれるプラスチック弾を使用するソフトエアガンは、玩具やゲーム用としてのみならず各種分野にも普及しつつあるが、ソフトエアガン用のターゲットにはこれといったものがないのが現状である。そこで本出願人はソフトエアガン用のターゲット装置を提供する目的で開発を行なった。本発明はその過程において創作されたもので、弾丸が命中することで標的が落下するように構成された、いわゆるバイアスロン式のターゲット装置を再現しようとするものである。
【０００３】
バイアスロン競技に用いられる標的については、伏射が直径４５ミリメートル、立射が直径１１５ミリメートルの的５つからなり、射座から標的までの距離５０メートル、標的に弾丸が命中しても破壊されないことなどと規定されている。先行出願を見ると、これに関するものではないが、特開２００４−２０５０７９号のアーチェリーバイアスロン用の的構造に関する例があり、同号の発明は的に矢が当たり一定以上の力が掛かると的が後方へ転倒し、矢及び的を損傷させず、矢を前方へ跳ね返すことができる構成を有している。後方への転倒により的が損傷されない構成を提案した点において上記の発明は参考になるが、ＢＢ弾等が対象になるソフトエアガン用のターゲットとしては頑丈過ぎ、ＢＢ弾により転倒させられるかどうか疑問であり、また、再使用可能な状態にセットし直すために的まで移動しなくてはならないという問題がある。
【０００４】
【特許文献１】特開２００４−２０５０７９
【発明の開示】
【発明が解決しようとする課題】
【０００５】
本発明は前記の点に着目してなされたもので、その課題は、ＢＢ弾のような弾丸が命中することで、標的が破壊されることなく、確実に落下するように構成された、ソフトエアガン用のバイアスロン式ターゲット装置を提供することである。また、本発明の他の課題は、小型、軽量に形成でき、また、ターゲット装置から離れた地点において命中したことが明確に分かり、かつ、セットし直すことの容易なソフトエアガン用のバイアスロン式ターゲット装置を提供することである。
【課題を解決するための手段】
【０００６】
前記の課題を解決するため、本発明は、弾丸の命中で落下する標的片を備えたソフトエアガン用バイアスロン式ターゲット装置について、盤状の標的片及び上記標的片を後側から嵌め込む開口部を有する正面板と、弾丸の命中により標的片が正面板から外れ、落下可能な状態に標的片を掛け止めておくために開口部に用意された掛け止め部と、標的片を掛け止め部に掛け止めるために開口部の後方から標的片を前方へ押す押圧部と、上記掛け止め部から標的片が落下したときにそれを受け止め、かつ、開口部の後側の定位置まで上昇可能に設けられた標的片受け部及び上記標的片受け部を開口部の後側の定位置まで上昇させる標的片上昇機構と、を備えて構成するという手段を講じたものである（請求項１）。
【０００７】
本発明に係るソフトエアガン用バイアスロン式ターゲット装置は、ＢＢ弾のような弾丸が命中することで、標的が破壊されることなく、確実に落下するように構成されており、かつ、落下した標的片を容易にリセット可能としたことを特徴とするものである。このような、標的片が上記弾丸の比較的弱い運動エネルギーでも確実に落下すること、及び落下した標的片を容易にリセットできることが、ターゲット装置の使い易さを左右する。
【０００８】
そのために、本発明の装置は正面板に開けられた開口部の後側に配置される盤状の標的片を有している。標的片が盤状であることにより、ほぼ一定の状態で落下させ、かつ、開口部の後側の定位置まで上昇させるための構造及び動作等を容易なものとすることができる。標的片の具体的形状は任意に決定することができるが、標的片が、開口部よりも僅かに小形の凸部を有しており、その凸部を、開口部に嵌め込み、口縁の下部を掛け止め部として標的片が固定されるように構成されているような構成は、一つの望ましい形態の例である（請求項２）。なお、バイアスロン式であるというためには、標的片を５個配置することも望まれる。
【０００９】
上記命中した弾丸の運動エネルギーにより標的片が正面板から後方に外れ、落下可能な状態に標的片を掛け止めておくために、開口部に掛け止め部が用意されている。掛け止め部の形態の最も簡単な例は、開口部の下部の口縁であり、開口部の後側に配置された標的片が上記口縁を掛け止め部として掛け止めた状態になる。標的片は開口部から見えなくなる位置まで落下することが望ましく、例えば真っ赤に塗られた標的片が落下することにより消えて、背景の色に変わり弾丸の命中が視覚的に分かるという色彩的変化による効果を得ることも可能になる。
【００１０】
このような標的片は、開口部の下部の口縁などの掛け止め部に掛け止められた状態で、弾丸が命中するまで安定な状態にあり、弾丸が標的片に命中したときには落下する程度の保持力で保持されている必要があり、このために本発明では、標的片を掛け止め部に掛け止めるために開口部の後方から標的片を前方へ押す押圧部を具備する。押圧部は、それ自体が独立した部材から成る構成と、標的片の背後に位置する板面の所定位置に突設された部分から成る構成を取り得る。どちらの構成を取るについても、凸部が開口部に嵌まり込んでいる標的片を掛け止め部方向へ押す斜面と、弾性部材とを有していることが望ましい（請求項３、請求項４）。
【００１１】
さらに本発明の装置は、上記掛け止め部から標的片が落下したときにそれを受け止め、かつ、開口部の背後にて定位置まで上昇可能に設けられた標的片受け部を有している。標的片受け部は開口部の直下に配置すれば、落下して来る標的片を受け止められるが、必要であれば左右方向への外れ止めを設け、確実に標的片が標的片受け部へ導かれるようにすることも可能である。
【００１２】
上記標的片受け部を開口部の後側の定位置まで上昇させるために、標的片上昇機構が設けられている。標的片上昇機構は、いわゆるリセット操作を行なうための機構であり、開口部の後側の定位置まで標的片を上昇させるとともに、前記の押圧部と共同して、開口部の後方から標的片を前方へ押し、リセットを完成させることになる。
【００１３】
標的片受け部と標的片上昇機構のために、正面板の後側には、標的片の厚みよりもやや大きい間隔を設けて中間板を設置し、正面板と中間板との間の狭い空所にて標的片が上下方向へ移動可能に配置している（請求項５）。これは標的片が標的片受け部から外れずに上下方向へ移動可能にするための、一つの構造的な手段である。
【００１４】
標的片受け部は中間板の後側に配置されたリセット板に設けられており、中間板に形成されている上下方向のガイド溝を通して正面板と中間板の間の空所に出ており、ガイド溝の範囲で上下方向へ移動可能に設けられていることは望ましい構成である（請求項６）。リセット板をリセット動作させるための機構は任意に選択することができる。そして、本発明の装置の設置位置から離れた場所において、リモートコントローラーにより遠隔操作を行い、リセット操作をするものとする。
【００１５】
なお、弾丸が至近距離から発射された場合や、威力の強い弾丸が使用された場合には、それらが標的片に命中せずに正面板に当たっただけでも、衝撃や振動により標的片が落下してしまう可能性がある。この問題を防ぐためには、正面板の前面に、標的片の部分に窓部を開口した保護カバーを正面板から浮かせて配置するなど、対策を講じることができ、これにより標的片に命中しない弾丸によって生じる誤作動が防止される（請求項７）。
【００１６】
本発明に係るターゲット装置は、弾丸回収のために、額縁状の正面開口を有する回収ボックスを併用する場合において、正面板が装置設置面から５０〜６０度の角度で後方へ傾斜して支えられる支え手段を併用することができる（請求項８）。本発明に係るターゲット装置の標的部分を回収ボックス内部に設置する場合、上記標的部分は、正面板が後方へ傾斜するように設置することが望ましく、それによって回収ボックスの外部へ弾丸が跳びだしてしまうことを有効に防止することが可能になる。上記傾斜角度は回収ボックスとの大小関係などの要因によって変わり得るが、実験では数十度の角度で良好な跳弾防止効果を得られることを確認している。
【発明の効果】
【００１７】
本発明は以上のように構成されかつ作用するものであるから、ＢＢ弾のような弾丸が命中することで、標的が破壊されることなく、確実に落下するように構成され、ターゲット装置から離れた地点において命中したことが明確に分かるソフトエアガン用のバイアスロン式ターゲット装置を提供することができる。また、本発明によれば、盤状の標的片を使用した、小型、軽量、かつ、セットし直すことの容易なソフトエアガン用のバイアスロン式ターゲット装置を提供することができる。
【発明を実施するための最良の形態】
【００１８】
以下図示の実施形態を参照して本発明をより詳細に説明する。図１は本発明に係るソフトエアガン用バイアスロン式ターゲット装置１０の一例を示すもので、標的片１１に向けて発射された弾丸Ｂを回収するために、額縁状の正面開口を有する回収ボックス２０とともに図示されている。符号１０で示されるターゲット装置は、回収ボックス２０と組み合わされる標的部分に相当する。
【００１９】
図示の例では、正面板１２の前面に、保護カバー１３を配置している（図２）。保護カバー１３は正面板１２から浮かせて配置されるように、長く形成した取り付け軸１４を四隅に有しており、正面板の周囲の枠部１５に、ボルトより成る取り付け具１６を用いて取り付けられている。正面板１２には開口部１７がサイコロの５の目と同じ配置で５個開けられており、保護カバー１３にも窓部１８が開口部１７と同じ配置で開口されている。
【００２０】
図示の標的片１１は円盤状のもので、正面に、例えば約４５ミリの直径に形成した凸部１９を有している。つまり図示の装置１０は、実際のバイアスロン用ターゲットと同じ標的径を有することになる。凸部１９は開口部１７よりも僅かに小形に設定されており、凸部１９を開口部１７に嵌め込んだときに、凸部１９の下部の掛け部１９ａが口縁の下部を掛け止め部１７ａとして掛け止められるように構成されている（図２参照）。
【００２１】
本発明の装置１０では、標的片１１の掛け部１９ａを開口部１７の掛け止め部１７ａに掛け止めるために、標的片１１を、開口部１７の後方から前方へ押す押圧部２１を具備している。押圧部２１は凸部１９が開口部１７に嵌まり込んでいるときに、標的片１１を前方へ押す前上がりの斜面２１ａと、コイルばねからなる弾性部材２２とを有している。図示の押圧部２１はコイルばねからなる弾性部材２２によって吊り下げられた状態で、各開口部１７の後側に夫々取り付けられている（図２、図３参照）。すなわち、例１の押圧部２１は、それ自体が独立した部材から成る構成のものである。
【００２２】
正面板１２の後側には、標的片１１の厚みよりもやや大きい間隔で中間板２３を設置している。中間板２３は正面板１２との間の狭い空所２４にて標的片１１を上下方向へのみ移動可能に配置し、空所２４を構成する正面板１２と中間板２３の両板面の間は、標的片１１の厚みよりも大きいが、標的片受け部２５に受け止められる標的片１１が標的片受け部２５から外れるほどではない程度の間隔に設定されている。
【００２３】
中間板２３の後側には、リセット板２６が上下方向へ移動可能に配置されており、そのリセット板２６に、上記の標的片受け部２５が設けられている。標的片受け部２５は標的片１１を下部で支える２個１対の突起からなり、その突起間隔と同じ幅で中間板２３に形成されている、２個１対の上下方向のガイド溝２７を通して正面板１２と中間板２３の間の空所２４に突き出ている。標的片受け部２５は前下がりの傾斜面２５ａを有しており、この傾斜面２５ａにより標的片１１の下部を前方へ向けている。
【００２４】
中間板２３の背後には裏面板２８が設置されており、裏面板２８は前部の正面板１２及び保護カバー１３と一体に結合され、全体として扁平な本発明のターゲット装置１０の外形を形成する。裏面板２８は、円形孔２９をその下部に有しており、その円形孔２９には裏面板２８の背後に設置されている、動力機構３０に設けられたカム円板３１が回転可能に配置されている。さらに、カム円板３１にはカムピン３２が取り付けられており、カムピン３２は前記リセット板２６に形成されている長孔３３と係合し、カム円板３１の回転に伴いスライドすることができるように設けられている。上記のリセット板２６、カム円板３１等は標的片上昇機構を構成する。
【００２５】
図中、中間板２３には受光基盤３４が設けられており、リモコン３５の操作によりリセットすることができる構成である。１２ａ、１３ａは、受光部３４ａへ赤外光線を導く窓を示す。また、３６はカム軸、３６ａは軸孔、３７はメインスイッチ、３８は支え手段としての可動スタンドであり、正面板１２が装置設置面から所望の角度で後方へ傾斜して支えられるように本装置の上部に支軸３９により回転可能に設けられている。
【００２６】
メインスイッチ３７とは別に、リセットスイッチ４０がカム円板３１に関連して設けられている。リセットスイッチ４０は、図７に示したようにカム円板３１の回転によりオン・オフされるもので、本体側に配置された正負１対より成るスイッチ片４１、４２と、カム円板３１が待機状態（或いは回転の初期位置）にあるときに円板外周の３時方向の位置に形成した非加圧部４３としての凹部と、それ以外の円板外周を利用する加圧部分４４を有している。スイッチ片４１は突起４１ａを有し、加圧部分４４に押されてスイッチ片４２と接触した時に通電状態になる（図７参照）。
【００２７】
本発明に係るソフトエアガン用バイアスロン式ターゲット装置１０を使用するには、回収ボックス２０の内部に標的部分を配置し、スタンド３８を操作してメインスイッチ３７をオンにし、所要の角度を向くように設定する（図１）。図１の例では正面板１２又はその保護カバー１３が装置設置面から５０〜６０度の角度をなすように、可動スタンド３８の位置を調整する。
【００２８】
図４Ａの状態で、図示していないソフトエアガンから発射された弾丸Ｂが標的片１１に命中すると、標的片１１は弾丸Ｂの運動エネルギーにより後方へ押され、図４Ｂに示すように凸部１９の下部の掛け部１９ａが口縁の下部の掛け止め部１７ａから外れることになる。このため標的片１１は支えをなくし、かつ、弾性部材２２で付勢された押圧部２１に押されているので、正面板１２と中間板２３の間の空所２４に落下し、開口部１７から見えなくなり、標的片受け部２５に受け支えられることになる（図４Ｃ）。上記の作動は５個の標的片１１全てについてなされ、競技終了となる。
【００２９】
標的片１１をリセットするにはリモコン３５を使用する。本装置１０に向けてリモコン３５の操作ボタン３５ａが押されると、受光部３４ａがそれをキャッチして動力機構３０が起動し、カム円板３１が回転して待機状態では最低位置にあるカムピン３２が図５において時計方向へ回転し、長孔３３をスライドしながら、リセット板２６を標的片１１とともに押し上げることとなる（図５Ａ〜Ｃ）。カムピン３２が最高位置に近付くにつれて、標的片１１の上部が押圧部２１に押されるようになり、その斜面２１ａによって凸部１９が開口部１７の内部方向へ誘導され、ほぼ最高位置へ至る直前には凸部１９が開口部１７に嵌まり込んで固定される（図６Ａ、Ｂ）。これで標的片１１はリセットされ、その後カム円板３１はカムピンが最低位置になる待機状態に戻って停止する（図６Ｃ、Ｄ）。
【００３０】
次に、標的片の背後に位置する板面の所定位置に突設された部分から成る構成を取る、例２の装置について標的片４５と押圧部４６を中心に説明する。例２の装置は標的片４５が一定の姿勢を保って配置されるようにしたもので、そのために、標的片４５は一対の標的片受け部２５′、２５′に支えられる左右一対の係合部４７、４７を下部に有する（図９参照）。２７′はガイド溝であり、標的片受け部２５′が上下動する。
【００３１】
また、標的片４５を掛け止め部１７ａに掛け止めるために、後方から標的片４５を前方の開口部方向へ押す押圧部４６として、それぞれ斜面２１ｂ、２１ｂを有する左右一対の突起２１′、２１′を背後の中間板２３′に設け、それらの突起２１′、２１′で押される部分４８、４８を、標的片４５の上部左右に設けている（図１０参照）。４９は標的片の上端に設けられた係合上部であり、正面は係脱容易化のために面取り状に設けられている。
【００３２】
さらに例２の装置では、標的片４５を抵抗少なく固定するために、点接触で標的片４５に接触する凸部５０ａを有する押圧部材５０を上部に設けている。上記押圧部材５０は標的板４５の係合上部４９を凸部５０ａにて背後から点接触で押し、固定の補助をするもので、図１１に示したように上記凸部５０ａを下部に有し、上部のばね受け５１にて圧縮ばね５２の付勢力を受けている（図１２参照）。
【００３３】
上記のような標的片４５と押圧部４６から成る構成のものが、例１と同様に５箇所設置され、例２の装置を構成している（図１３参照）。この例２の装置の場合には、標的片４５を前方へ押す斜面２１ｂとは別の、押圧部材５０を用いて標的部材４５の固定力を制御することができるため、例１の場合よりも弱い力で標的片４５が外れ、しかも標的片４５の保持は安定している。他の構成は例１と同様であり、図１５Ａに示すように、弾丸命中前に開口部１７にセットされていた標的片４５は、弾丸命中により落下して一対の標的片受け部２５′、２５′に支えられる。
【００３４】
即ち、図１４に示すように、カム円板３１が回転して待機状態では最低位置にあるカムピン３２が回転し、長孔３３をスライドしながら、リセット板２６を標的片４５とともに押し上げることとなる（図１４）。カムピン３２が最高位置に近付くにつれて、標的片４５の上部が押圧部４６に押されるようになり、斜面２１ｂによって凸部１９が開口部１７の内部方向へと誘導され（図１５Ｂ  ）、ほぼ最高位置へ至る直前には、押圧部材５０を圧縮ばね５２の付勢力に抗して押し戻しながら開口部１７に嵌まり込んで固定される（図１５Ａ）。この作動がリモコン３５の遠隔操作で行われることは、例１において説明したのと同様である。なお、例１と同じ構成については符号のみ援用し、詳細な説明を省略する。
【００３５】
従って、本装置１０の標的部分は遠隔地点から操作でき、元の状態にリセットして使用を再開することが可能であり、この操作を繰り返すものである。競技の間、本装置１０に向かって発射され回収ボックス２０の開口に入った弾丸Ｂは、回収ボックス２０にほぼ捕集されてその内部に溜まるので、周囲に散乱することがない。
【図面の簡単な説明】
【００３６】
【図１】本発明に係るソフトエアガン用バイアスロン式ターゲット装置の例１を示す斜視図である。
【図２】同上の要部を拡大して示す断面図である。
【図３】同じく本発明の装置を分解して示す斜視図である。
【図４】本発明の装置の作動状態を示すもので、Ａは準備完了時、Ｂは弾丸命中時、Ｃは標的片落下時の各説明図である。
【図５】本発明の装置のリセット状態を示すもので、Ａはリセット前の断面図、Ｂは同じく正面図、Ｃはリセット開始時の断面図、Ｄは同じく正面図である。
【図６】本発明の装置のリセット状態を示すもので、Ａはリセット完了時の断面図、Ｂは同じく正面図、Ｃはリセット後の待機状態の断面図、Ｄは同じく正面図である。
【図７】リセットスイッチとカム円板を示す斜視図である。
【図８】リセットスイッチとカム円板の関係を示すもので、Ａはリセットスイッチオフの状態、Ｂはリセットスイッチオンの状態を示す説明図である。
【図９】本発明の装置の例２における標的板を示すもので、Ａは斜視図、Ｂは側面図である。
【図１０】同上における例２の標的板をセットした状態を示す斜視図である。
【図１１】同じく例２の押圧部材を示すもので、Ａは斜視図、Ｂは側面図、Ｃは下面図である。
【図１２】同じく例２の要部を示す断面図である。
【図１３】同じく例２の中間板を示す斜視図である。
【図１４】同じく例２のリセット前の正面図である。
【図１５】同じく例２の装置の作動状態を示すもので、Ａは準備完了時、Ｂはリセット状態を示す断面図である。
【符号の説明】
【００３７】
１０  ソフトエアガン用バイアスロン式ターゲット装置
１１、４５  標的片
１２  正面板
１３  保護カバー
１４  取り付け軸
１５  枠部
１６  取り付け具
１７  開口部
１８  窓部
１９  凸部
２０  回収ボックス
２１、４６  押圧部
２２  弾性部材
２３、２３′  中間板
２４  空所
２５、２５′  標的片受け部
２６  リセット板
２７、２７′  ガイド溝
２８  裏面板
２９  円形孔
３０  動力機構
３１  カム円板
３２  カムピン
３３  長孔
３４  受光基盤
３５  リモコン
３６  カム軸
３７  メインスイッチ
３８  支え手段
３９  支軸
４０  リセットスイッチ
４１、４２  スイッチ片
４３  非加圧部
４４  加圧部
４７  係合部
４８  押される部分
４９  係合上部
５０  押圧部材
５１  ばね受け
５２  圧縮ばね
【図１】
2010038473.tif 000003
【図２】
2010038473.tif 000004
【図３】
2010038473.tif 000005
【図４】
2010038473.tif 000006
【図５】
2010038473.tif 000007
【図６】
2010038473.tif 000008
【図７】
2010038473.tif 000009
【図８】
2010038473.tif 000010
【図９】
2010038473.tif 000011
【図１０】
2010038473.tif 000012
【図１１】
2010038473.tif 000013
【図１２】
2010038473.tif 000014
【図１３】
2010038473.tif 000015
【図１４】
2010038473.tif 000016
【図１５】
2010038473.tif 000017